(57)【特許請求の範囲】
【請求項１】
照射される光を感知する第１感知部及び第２感知部、そして前記第１感知部及び前記第２感知部と接続されている少なくとも一つの感知信号線を含む表示装置において、
１フレームを周期で繰り返される内部光照射区間の間に前記第１感知部及び前記第２感知部側に内部光を照射する段階、
１フレーム内に前記第１感知部を一回リセットして、前記第１感知部に前記感知信号線が伝達する基準電圧を伝達する段階、及び
前記１フレーム内に前記第２感知部を少なくとも三回リセットして、前記第２感知部に前記基準電圧を伝達する段階、
を含む、表示装置の駆動方法。
【請求項２】
前記１フレーム内に前記第１感知部を一回リセットする段階は、前記内部光照射区間と重畳しない第１出力区間の間に行われる、請求項１に記載の表示装置の駆動方法。
【請求項３】
前記１フレーム内に前記第２感知部を少なくとも三回リセットする段階は、順次に位置する少なくとも一つの先行リセット区間、本リセット区間、及び第２出力区間で構成される、請求項２に記載の表示装置の駆動方法。
【請求項４】
前記第２出力区間と前記本リセット区間は、前記内部光照射区間と重畳しない、請求項３に記載の表示装置の駆動方法。
【請求項５】
前記第１感知部に対して隣接する二つの第１出力区間の間の第１感知区間は、前記内部光照射区間と重畳し、
前記第２感知部に対して隣接する前記本リセット区間及び前記第２出力区間の間の第２感知区間は、前記内部光照射区間と重畳しない、請求項４に記載の表示装置の駆動方法。
【請求項６】
前記表示装置は、
前記第１感知部に走査信号を伝達する第１走査信号線、及び
前記第２感知部に走査信号を伝達する第２走査信号線、
をさらに含み、
前記第１感知部及び前記第２感知部それぞれは、前記第１走査信号線または前記第２走査信号線と接続されているスイッチング素子、そして前記スイッチング素子と接続された感知素子及びキャパシタを含み、
前記第１感知部または前記第２感知部がリセットされる時に、前記基準電圧は前記スイッチング素子を通して前記感知素子及び前記キャパシタに伝達される、請求項５に記載の表示装置の駆動方法。
【請求項７】
前記第１感知部が含む前記感知素子の入力端子は、一定の第１電圧を伝達する第１ソース電圧線と接続し、
前記第２感知部が含む前記感知素子の入力端子は、前記第１電圧及び前記第１電圧とは異なる第２電圧を伝達する第２ソース電圧線と接続する、請求項６に記載の表示装置の駆動方法。
【請求項８】
前記第２ソース電圧線の電圧が前記第２電圧である第１区間は、前記内部光照射区間と重畳する、請求項７に記載の表示装置の駆動方法。
【請求項９】
前記第２電圧は前記基準電圧と実質的に同一である、請求項８に記載の表示装置の駆動方法。
【請求項１０】
照射される光を感知する第１感知部及び第２感知部、
前記第１感知部及び前記第２感知部と接続されて、前記第１感知部及び前記第２感知部のリセットのための基準電圧を伝達する少なくとも一つの感知信号線、
前記感知信号線からの感知信号を処理する感知信号処理部、及び
１フレームを周期で繰り返される内部光照射区間の間に前記第１感知部及び前記第２感知部側に内部光を照射するバックライトを含み、
１フレーム内に前記第１感知部は一回のリセットが行われ、前記第２感知部は少なくとも三回のリセットが行われる、
表示装置。
【発明の詳細な説明】
【技術分野】
【０００１】
本発明は、光センサを含む表示装置及びその駆動方法に関する。
【背景技術】
【０００２】
現在、多様な種類の平板表示装置が開発されて使用されており、特に、タッチ感知機能またはイメージ感知機能を有する表示装置が開発されている。
【０００３】
一般に接触を感知できるタッチスクリーンパネル（ｔｏｕｃｈ  ｓｃｒｅｅｎ  ｐａｎｅｌ）は、表示装置に付着して使用されたりするが、原価上昇、接着工程の追加による収率減少、表示板の輝度低下などの問題がある。したがって、薄膜トランジスタまたはキャパシタからなるセンサーを表示装置の映像を表示する表示領域に内蔵する技術が開発されてきている。内蔵されたセンサーは、照射された光の外部の接触などによる変化によって感知信号を出力し、感知信号を利用して物体の接触位置、接触強度などの接触情報を把握する。
【０００４】
このようなセンサーの中で光センサは光の変化を感知するセンサーであって、入射する光によって発生する光電流を利用して感知信号を発生させ、感知信号を利用して接触情報を得ることができる。センサーが感知する光は赤外線、可視光線など多様な周波数の光でありえ、センサーが感知する光の光源を表示装置の内部に位置させることができる。例えば、表示装置の映像を表示するための内部光源であるバックライトが可視光線とともに光センサに適した波長の光を出射するように構成することができる。しかし、光センサは内部光源からの光以外に外部光源からの光による影響を受けることがあり、これによって正確でない接触情報が得られる。
【０００５】
一方、光センサは、一般に、三端子素子のトランジスタから構成されて、トランジスタのチャネル部に光が照査されて形成される光電流を通して接触の有無を判断する。ところが、光センサに照射される光が無くなっても光漏洩電流が流れ続ける場合があって、接触情報にエラーが生じる恐れがある。
【先行技術文献】
【特許文献】
【０００６】
【特許文献１】米国特許出願公開第２０１１−００９６０２１号明細書
【発明の概要】
【発明が解決しようとする課題】
【０００７】
本発明の目的は、正確な接触情報を得ることができる光センサを含む表示装置及びその駆動方法を提供することにある。
【課題を解決するための手段】
【０００８】
本発明の一実施形態による表示装置の駆動方法は、照射される光を感知する第１感知部及び第２感知部、そして前記第１感知部及び前記第２感知部と接続されている少なくとも一つの感知信号線を含む表示装置において、１フレームを周期で繰り返される内部光照射区間の間前に記第１感知部及び前記第２感知部側に内部光を照射する段階、１フレーム内に前記第１感知部を一回リセットして、前記第１感知部に前記感知信号線が伝達する基準電圧を伝達する段階、及び前記１フレーム内に前記第２感知部を少なくとも三回リセットして、前記第２感知部に前記基準電圧を伝達する段階を含む。
【０００９】
前記１フレーム内に前記第１感知部を一回リセットする段階は、前記内部光照射区間と重畳しない第１出力区間の間に行われることができる。
【００１０】
前記１フレーム内に前記第２感知部を少なくとも三回リセットする段階は、順次に位置する少なくとも一つの先行リセット区間、本リセット区間、及び第２出力区間で構成されることができる。
【００１１】
前記第２出力区間と前記本リセット区間は、前記内部光照射区間と重畳しないことができる。
【００１２】
前記第１感知部に対して隣接する二つの第１出力区間の間の第１感知区間は、前記内部光照射区間と重畳し、前記第２感知部に対して隣接する前記本リセット区間及び前記第２出力区間の間の第２感知区間は、前記内部光照射区間と重畳しないことができる。
【００１３】
前記表示装置は、前記第１感知部に走査信号を伝達する第１走査信号線、及び前記第２感知部に走査信号を伝達する第２走査信号線をさらに含み、前記第１感知部及び前記第２感知部それぞれは、前記第１走査信号線または前記第２走査信号線と接続されているスイッチング素子、そして前記スイッチング素子と接続された感知素子及びキャパシタを含み、前記第１感知部または前記第２感知部がリセットされる時に、前記基準電圧は前記スイッチング素子を通して前記感知素子及び前記キャパシタに伝達できる。
【００１４】
前記第１感知部が含む前記感知素子の入力端子は、一定の第１電圧を伝達する第１ソース電圧線と接続し、前記第２感知部が含む前記感知素子の入力端子は、前記第１電圧及び前記第１電圧とは異なる第２電圧を伝達する第２ソース電圧線と接続できる。
【００１５】
前記第２ソース電圧線の電圧が前記第２電圧である第１区間は、前記内部光照射区間と重畳することができる。
【００１６】
前記第２電圧は、前記基準電圧と実質的に同一でありうる。
【００１７】
本発明の一実施形態による表示装置は、照射される光を感知する第１感知部及び第２感知部、前記第１感知部及び前記第２感知部と接続されて、前記第１感知部及び前記第２感知部のリセットのための基準電圧を伝達する少なくとも一つの感知信号線、前記感知信号線からの感知信号を処理する感知信号処理部、そして１フレームを周期で繰り返される内部光照射区間の間に前記第１感知部及び前記第２感知部側に内部光を照射するバックライトを含み、１フレーム内に前記第１感知部は一回のリセットが行われ、前記第２感知部は少なくとも三回のリセットが行われる。
【発明の効果】
【００１８】
本発明の実施形態による光センサを含む表示装置及びその駆動方法によれば、外部の光によるノイズが除去された正確な接触情報を得ることができる。
【図面の簡単な説明】
【００１９】
【図１】本発明の一実施形態による光センサを含む表示装置のブロック図である。
【図２】本発明の一実施形態による光センサまたは感知部の回路図である。
【図３】本発明の一実施形態による感知信号処理部の回路図である。
【図４】本発明の一実施形態による光センサを含む表示装置の断面図である。
【図５】本発明の一実施形態による光センサを含む表示装置のブロック図である。
【図６】本発明の一実施形態による光センサを含む表示装置の駆動方法を示すタイミング図である。
【図７】本発明の一実施形態による光センサを含む表示装置の駆動方法を示すタイミング図の他の例である。
【図８】本発明の一実施形態による光センサを含む表示装置の駆動方法を示すタイミング図の他の例である。
【図９】本発明の一実施形態による光センサの配置図である。
【図１０】本発明の一実施形態による光センサを含む表示装置の駆動方法を示すタイミング図の他の例である。
【発明を実施するための形態】
【００２０】
添付した図面を参照して、本発明の実施形態について本発明が属する技術分野における通常の知識を有する者が容易に実施できるように詳細に説明する。しかし、本発明は種々の異なる形態に実現でき、ここで説明する実施形態に限られない。
【００２１】
図面において、種々の層及び領域を明確に表現するために厚さを拡大して示した。明細書の全体にわたって類似する部分に対しては同一の図面符号を付けた。層、膜、領域、板などの部分が他の部分の「上」にあるという時、これは他の部分の「すぐ上」にある場合だけでなく、その中間に他の部分がある場合も含む。一方、ある部分が他の部分の「直上」にあるという時には、中間に他の部分がないことを意味する。
【００２２】
最初に、図１、図２、図３及び図４を参照して、本発明の一実施形態による光センサを含む表示装置について説明する。
【００２３】
図１は、本発明の一実施形態による光センサを含む表示装置のブロック図であり、図２は、本発明の一実施形態による光センサまたは感知部の回路図であり、図３は、本発明の一実施形態による感知信号処理部の回路図であり、図４は、本発明の一実施形態による光センサを含む表示装置の断面図である。
【００２４】
図１を参照すれば、本発明の一実施形態による表示装置は、光感知（ｌｉｇｈｔ  ｓｅｎｓｉｎｇ）の機能がある表示装置であって、感知領域ＳＡ、バックライト９００、走査駆動部４００、及び感知信号処理部５００を含む。
【００２５】
感知領域ＳＡは、外部物体のタッチまたは接近による光の変化を感知する領域である。感知領域ＳＡは、複数の走査信号線（Ｇａ１、Ｇｂ１、Ｇｃ１、Ｇｄ１、Ｇａ２、Ｇｂ２、Ｇｃ２、Ｇｄ２、．．．）、複数の感知信号線（ＲＯ１、ＲＯ２、．．．）、及びほぼ行列状に配列されている複数の感知部グループ（またはセンサグループともいう）（ｓｅｎｓｉｎｇ  ｕｎｉｔ  ｇｒｏｕｐ）ＳＵを含む。
【００２６】
感知領域ＳＡは、表示装置の表示板に位置する複数の画素（図示せず）が配列されている表示領域（図示せず）に対応することができる。複数の画素は、映像を表示するための走査信号を伝達する複数の映像走査信号線及び映像データ信号を伝達する映像データ線に接続されていることができる。
【００２７】
複数の走査信号線（「ゲート線」ともいう）は、走査信号（またはゲート信号）を伝達し、ほぼ行方向に延びていることができる。複数の走査信号線（Ｇａ１、Ｇｂ１、Ｇｃ１、Ｇｄ１、Ｇａ２、Ｇｂ２、Ｇｃ２、Ｇｄ２、．．．）は、それぞれ独立的に走査信号を順次に送ることができる複数の走査信号線グループに分れる。具体的に、複数の走査信号線（Ｇａ１、Ｇｂ１、Ｇｃ１、Ｇｄ１、Ｇａ２、Ｇｂ２、Ｇｃ２、Ｇｄ２、．．．）は、第１走査信号線グループ（Ｇａ１、Ｇａ２、．．．）、第２走査信号線グループ（Ｇｂ１、Ｇｂ２、．．．）、第３走査信号線グループ（Ｇｃ１、Ｇｃ２、．．．）、及び第４走査信号線グループ（Ｇｄ１、Ｇｄ２、．．．）を含むことができる。第１走査信号線グループ（Ｇａ１、Ｇａ２、．．．）、第２走査信号線グループ（Ｇｂ１、Ｇｂ２、．．．）、第３走査信号線グループ（Ｇｃ１、Ｇｃ２、．．．）、及び第４走査信号線グループ（Ｇｄ１、Ｇｄ２、．．．）の走査信号線は、この順番で交互に配列されていることができる。
【００２８】
図１に示した実施形態では四種類の走査信号線グループを例に挙げているが、これに限定されず、二種類またはそれ以上の走査信号線グループで構成することができる。
【００２９】
複数の感知信号線（「感知データ線」ともいう）（ＲＯ１、ＲＯ２、．．．）は、ほぼ行方向に延びて、走査信号線（Ｇａ１、Ｇｂ１、Ｇｃ１、Ｇｄ１、Ｇａ２、Ｇｂ２、Ｇｃ２、Ｇｄ２、．．．）と交差することができる。感知信号線（ＲＯ１、ＲＯ２、．．．）は、一定の基準電圧Ｖｆの印加を受けることができ、感知部グループＳＵが含む複数の感知部（または光センサともいう）（ＳＵａ、ＳＵｂ、ＳＵｃ、ＳＵｄ）それぞれが出力する感知信号を感知信号処理部５００に伝達することができる。
【００３０】
各感知部グループＳＵは、少なくとも二つの感知部、または光センサを含むことができる。図１は、一つの感知部グループＳＵが四種類の感知部（ＳＵａ、ＳＵｂ、ＳＵｃ、ＳＵｄ）を含む例を示す。各感知部グループＳＵが含む互いに異なる種類の感知部（ＳＵａ、ＳＵｂ、ＳＵｃ、ＳＵｄ）は、互いに独立的に駆動されて感知信号を出力することができる。
【００３１】
一つの感知部グループＳＵが含む感知部（ＳＵａ、ＳＵｂ、ＳＵｃ、ＳＵｄ）は、図１に示したように、四角形状に配置することができる。しかし、一つの感知部グループＳＵ内で四つの感知部（ＳＵａ、ＳＵｂ、ＳＵｃ、ＳＵｄ）の位置は多様に変更することができる。例えば、一つの感知部グループＳＵが含む感知部（ＳＵａ、ＳＵｂ、ＳＵｃ、ＳＵｄ）は、列方向または行方向に一列に配列することも可能である。
【００３２】
複数の感知部（ＳＵａ、ＳＵｂ、ＳＵｃ、ＳＵｄ）は、第１走査信号線グループ（Ｇａ１、Ｇａ２、．．．）と接続されている第１感知部ＳＵａ、第２走査信号線グループ（Ｇｂ１、Ｇｂ２、．．．）と接続されている第２感知部ＳＵｂ、第３走査信号線グループ（Ｇｃ１、Ｇｃ２、．．．）と接続されている第３感知部ＳＵｃ、及び第４走査信号線グループ（Ｇｄ１、Ｇｄ２、．．．）と接続されている第４感知部ＳＵｄを含む。
【００３３】
走査信号線（Ｇａ１、Ｇｂ１、Ｇｃ１、Ｇｄ１、Ｇａ２、Ｇｂ２、Ｇｃ２、Ｇｄ２、．．．）は、一つの感知部行ごとに二つずつ配置することができる。例えば、第１走査信号線グループ（Ｇａ１、Ｇａ２、．．．）の一つの走査信号線と、第２走査信号線グループ（Ｇｂ１、Ｇｂ２、．．．）の一つの走査信号線とは、第１感知部ＳＵａ及び第２感知部ＳＵｂが位置する感知部行のすぐ上または下に配置し、第３走査信号線グループ（Ｇｃ１、Ｇｃ２、．．．）の一つの走査信号線と、第４走査信号線グループ（Ｇｄ１、Ｇｄ２、．．．）の一つの走査信号線とは、第３感知部ＳＵｃ及び第４感知部ＳＵｄが位置する感知部行のすぐ上または下に配置することができる。
【００３４】
しかし、走査信号線（Ｇａ１、Ｇｂ１、Ｇｃ１、Ｇｄ１、Ｇａ２、Ｇｂ２、Ｇｃ２、Ｇｄ２、．．．）は、感知部（ＳＵａ、ＳＵｂ、ＳＵｃ、ＳＵｄ）の配置によって一つの感知部行ごとに一つずつまたは二つ以上ずつ配置することも可能である。
【００３５】
感知信号線（ＲＯ１、ＲＯ２、．．．）は、一つの感知部列ごとに一つずつ配置することができる。この場合、一つの感知部グループＳＵが含む複数の感知部（ＳＵａ、ＳＵｂ、ＳＵｃ、ＳＵｄ）は、同一な感知信号線（ＲＯ１、ＲＯ２、．．．）に接続することができる。また、感知信号線（ＲＯ１、ＲＯ２、．．．）は、図１に示したように、各感知部グループＳＵが含む感知部（ＳＵａ、ＳＵｂ、ＳＵｃ、ＳＵｄ）の間を通過して延びることができるが、これに限定されず、感知部グループＳＵの左側または右側で列方向に延びることも可能である。
【００３６】
図１に示したこととは異なって、各感知部グループＳＵ列ごとに複数の感知信号線が位置することもでき、一つの感知部グループＳＵが含む感知部（ＳＵａ、ＳＵｂ、ＳＵｃ、ＳＵｄ）のうちの少なくとも二つが互いに異なる感知信号線に接続していることも可能である。
【００３７】
感知部（ＳＵａ、ＳＵｂ、ＳＵｃ、ＳＵｄ）は、バックライト９００から生成された内部光ＩＬを利用して、外部物体のタッチまたは接近を感知するか、または外部物体のイメージを感知して、感知信号を生成する光センサとすることができる。例えば、感知部（ＳＵａ、ＳＵｂ、ＳＵｃ、ＳＵｄ）は、赤外線（ｉｎｆｒａｒｅｄ  ｌｉｇｈｔ）を用いて外部物体のタッチを感知するか、または可視光線（ｖｉｓｉｂｌｅ  ｌｉｇｈｔ）を用いて外部物体のイメージを感知することもできる。
【００３８】
図２を参照すれば、本発明の一実施形態による感知部ＳＵｋ（ｋ＝ａ、ｂ、ｃ、ｄ、．．．）は、上述した感知部（ＳＵａ、ＳＵｂ、ＳＵｃ、ＳＵｄ）のうちの一つとすることができる。感知部ＳＵｋは、走査信号線Ｇｉ及び感知信号線ＲＯｊと接続されたスイッチング素子Ｑａ、スイッチング素子Ｑａと接続された感知素子Ｑｓ、及びキャパシタＣｓを含むことができる。
【００３９】
スイッチング素子Ｑａは薄膜トランジスタなどの三端子素子であって、その制御端子は走査信号線Ｇｉと接続されており、出力端子は感知信号線ＲＯｊ（ｊ＝１、２、．．．）と接続されており、入力端子は感知素子Ｑｓ及びキャパシタＣｓと接続されている。走査信号線Ｇｉは、上述した第１走査信号線グループ（Ｇａ１、Ｇａ２、．．．）、第２走査信号線グループ（Ｇｂ１、Ｇｂ２、．．．）、第３走査信号線グループ（Ｇｃ１、Ｇｃ２、．．．）、及び第４走査信号線グループ（Ｇｄ１、Ｇｄ２、．．．）のうちのいずれか一つまたはこれらと接続されたサブ走査信号線とすることができる。スイッチング素子Ｑａは、走査信号線Ｇｉの走査信号によって感知信号を感知信号線ＲＯｊに送ることができる。
【００４０】
図２Ａを参照すれば、本発明の一実施形態による感知素子Ｑｓは薄膜トランジスタなどの三端子素子であって、その入力端子はソース電圧（「第１電圧」ともいう）Ｖｓの印加を受け、制御端子はバイアス電圧（「第２電圧」ともいう）Ｖｂの印加を受け、出力端子はスイッチング素子Ｑａと接続されている。バイアス電圧Ｖｂは、感知素子Ｑｓに光が走査されない時、感知素子Ｑｓがオフ状態を維持するように、ゲートオフ電圧と同様に十分に低いかまたは高い電圧でありうる。
【００４１】
図２Ｂを参照すれば、本実施形態による感知素子Ｑｓは、図２Ａに示した実施形態とは異なって入力端子と制御端子が共にバイアス電圧Ｖｂの印加を受けることができる。つまり、感知素子Ｑｓをダイオード接続することができる。この場合にも、バイアス電圧Ｖｂは、感知素子Ｑｓに光が照射されない時に、感知素子Ｑｓがオフ状態を維持するようにゲートオフ電圧と同様に十分に低いか、または高い電圧でありうる。
【００４２】
感知素子Ｑｓは、光が照射されれば、光（漏れ）電流を生成する光電気（ｐｈｏｔｏｅｌｅｃｔｒｉｃ）物質を含むことができる。このような感知素子Ｑｓの例としては、光電流を生成できる非晶質シリコン（ａｍｏｒｐｈｏｕｓ  ｓｉｌｉｃｏｎ）、非晶質シリコン−ゲルマニウム（ａｍｏｒｐｈｏｕｓ  ｓｉｌｉｃｏｎ−ｇｅｒｍａｎｉｕｍ）、または多結晶シリコンチャネルを有する薄膜トランジスタが挙げられる。感知素子Ｑｓに照射される光は、バックライト９００からの内部光ＩＬ以外の外部光を含むことができる。
【００４３】
図２Ａを参照すれば、キャパシタＣｓの二端子は、それぞれスイッチング素子Ｑａ及びソース電圧Ｖｓに接続されている。キャパシタＣｓは、走査信号線Ｇｉの走査信号によって感知信号線ＲＯｊに印加された基準電圧Ｖｆで充電されるか、または感知素子Ｑｓの光電流によって放電することができる。
【００４４】
バックライト９００は、赤外線、及び可視光線などの内部光ＩＬを発生させる。バックライト９００は表示装置の背面側に位置し、内部光ＩＬを生成して複数の感知部（ＳＵａ、ＳＵｂ、ＳＵｃ、ＳＵｄ）に照射することができる。例えば、本発明の一実施形態は、外部物体のタッチを感知するために赤外線を発生させるバックライト９００を使用することができる。この場合、外部物体が表示装置または感知領域ＳＡに近接すれば、バックライト９００からの赤外線は外部物体から反射して感知部（ＳＵａ、ＳＵｂ、ＳＵｃ、ＳＵｄ）に入射する。反面、外部物体のイメージ感知のために可視光線を発生させるバックライト９００を使用する場合、外部物体が表示装置または感知領域ＳＡに近接すれば、バックライト９００からの可視光線は外部物体から反射して、感知部（ＳＵａ、ＳＵｂ、ＳＵｃ、ＳＵｄ）に入射する。
【００４５】
本発明の一実施形態による光センサは、一種類の光を感知することもできるが、互いに異なる波長帯の光を感知する複数の感知部を含むことも可能である。例えば、一つの表示装置は、赤外線を感知できる赤外線感知部及び可視光線を感知できる可視光線感知部を含むこともできる。この場合、赤外線感知部及び可視光線感知部は交互に配列することができる。
【００４６】
さらに図１を参照すれば、走査駆動部４００は走査信号線（Ｇａ１、Ｇｂ１、Ｇｃ１、Ｇｄ１、Ｇａ２、Ｇｂ２、Ｇｃ２、Ｇｄ２、．．．）に接続されている。走査駆動部４００は、各感知部（ＳＵａ、ＳＵｂ、ＳＵｃ、ＳＵｄ）のスイッチング素子Ｑａをターンオンさせることができるゲートオン電圧と、ターンオフさせることができるゲートオフ電圧との組み合わせからなる走査信号を、走査信号線（Ｇａ１、Ｇｂ１、Ｇｃ１、Ｇｄ１、Ｇａ２、Ｇｂ２、Ｇｃ２、Ｇｄ２、．．．）に印加する。
【００４７】
走査駆動部４００は、第１走査信号線グループ（Ｇａ１、Ｇａ２、．．．）、第２走査信号線グループ（Ｇｂ１、Ｇｂ２、．．．）、第３走査信号線グループ（Ｇｃ１、Ｇｃ２、．．．）、及び第４走査信号線グループ（Ｇｄ１、Ｇｄ２、．．．）にそれぞれ独立的な走査信号を伝達することができる。例えば、走査駆動部４００は、各走査信号線グループ（Ｇａ１、Ｇｂ１、Ｇｃ１、Ｇｄ１、Ｇａ２、Ｇｂ２、Ｇｃ２、Ｇｄ２、．．．）のゲートオンパルスの出力時期をそれぞれ制御するための複数のゲートクロック信号の入力を受けることができる。これによって、第１走査信号線グループ（Ｇａ１、Ｇａ２、．．．）、第２走査信号線グループ（Ｇｂ１、Ｇｂ２、．．．）、第３走査信号線グループ（Ｇｃ１、Ｇｃ２、．．．）、及び第４走査信号線グループ（Ｇｄ１、Ｇｄ２、．．．）は、互いに異なる時間または同時に、独立的にゲートオン電圧を伝達することができる。また、一つの走査信号線グループの中で含まれる複数の走査信号線は、ゲートオン電圧を順次に一定時間単位で出力することができる。この時、一定時間単位は１水平周期１Ｈとすることができる。
【００４８】
感知信号処理部５００は、感知信号線（ＲＯ１、ＲＯ２、．．．）と接続されている。感知信号処理部５００は感知信号線（ＲＯ１、ＲＯ２、．．．）からの感知信号の入力を受けて信号処理を行って、接触の有無、接触位置、接触物体の形状及びサイズなどの接触情報を生成することができる。
【００４９】
図３を参照すれば、本発明の一実施形態による感知信号処理部５００は、感知信号線ＲＯｊ（ｊ＝１、２、．．．）に接続されている積分器（ｉｎｔｅｇｒａｔｏｒ）を含むことができる。各積分器は、反転端子（−）、非反転端子（＋）、及び出力端子を有する増幅器ＡＰと、これに接続されたキャパシタＣｆとを含むことができる。増幅器ＡＰの反転端子（−）は感知信号線ＲＯｊに接続されており、反転端子（−）と出力端子との間にはキャパシタＣｆが接続されている。増幅器ＡＰの非反転端子（＋）は基準電圧Ｖｆに接続されている。増幅器ＡＰとキャパシタＣｆは、さらに具体的には電流積分器であって、感知信号線ＲＯｊからの感知信号の電流を所定時間積分して感知出力信号Ｖｏｕｔを生成することができる。
【００５０】
図４を参照すれば、本発明の一実施形態による表示装置の表示板３００は、互いに対向する二つの表示板１００、２００と、その間に位置する中間層３とを含むことができる。本発明の一実施形態による感知部グループＳＵは、下部表示板１００または上部表示板２００に位置することができる。中間層３は、液晶表示装置の場合、液晶層とすることができ、電気泳動表示装置の場合、帯電粒子を含む電気泳動層とすることができ、電気湿潤表示装置の場合、流体を含むことができる。反面、有機発光表示装置のように表示装置が一つの表示板を含む場合、感知部グループＳＵは、表示板の上に位置するか、または表示板を覆う封止基板（ｅｎｃａｐｓｕｌａｔｉｏｎ  ｓｕｂｓｔｒａｔｅ）に位置することができる。
【００５１】
表示装置は、表示板１００、２００の底面に位置するバックライト９００をさらに含み、バックライト９００は内部光ＩＬを感知部グループＳＵ側に照射する。外部物体が近接する場合、内部光ＩＬは外部物体から反射して感知部グループＳＵに入射して感知されることができる。感知部グループＳＵとバックライト９００との間には遮光部材２６０が位置して、バックライト９００から内部光ＩＬが感知部グループＳＵに直接照射されることを防止することができる。この時、バックライト９００以外の所を光源とする外部光ＯＬが感知部グループＳＵにさらに照射されることができる。このような外部光ＯＬによる影響をなくす過程を通して正確な接触情報を得ることができる。これについては、駆動方法と関連して後述する。
【００５２】
以下、図１乃至図４を参照して、本発明の一実施形態による光センサの動作について説明する。
【００５３】
最初に、走査駆動部４００が走査信号線（Ｇａ１、Ｇｂ１、Ｇｃ１、Ｇｄ１、Ｇａ２、Ｇｂ２、Ｇｃ２、Ｇｄ２、．．．）にゲートオン電圧Ｖｏｎを順次に印加して、感知部（ＳＵａ、ＳＵｂ、ＳＵｃ、ＳＵｄ）に含まれているスイッチング素子Ｑａをターンオンさせる。このことにより、感知信号線（ＲＯ１、ＲＯ２、．．．）に印加された基準電圧ＶｆはキャパシタＣｓの一端子に伝達され、キャパシタＣｓは基準電圧Ｖｆとソース電圧Ｖｓとの差ほど充電される。この段階を感知部（ＳＵａ、ＳＵｂ、ＳＵｃ、ＳＵｄ）のリセット段階またはリセット区間という。
【００５４】
スイッチング素子Ｑａがターンオフされた状態で外部物体のタッチなどによって光が感知素子Ｑｓに照射されれば、感知素子Ｑｓに光電流が生成される。このことにより、キャパシタＣｓの基準電圧Ｖｆが印加されていた端子で電圧降下が発生してキャパシタＣｓは放電する。反面、外部物体などのタッチが発生しなくて感知素子Ｑｓにも光が照射されなければ、キャパシタＣｓも放電しない。この段階を感知部（ＳＵａ、ＳＵｂ、ＳＵｃ、ＳＵｄ）の感知段階または感知区間という。
【００５５】
次のリセット段階において、走査信号線（Ｇａ１、Ｇｂ１、Ｇｃ１、Ｇｄ１、Ｇａ２、Ｇｂ２、Ｇｃ２、Ｇｄ２、．．．）にゲートオン電圧Ｖｏｎが印加されると、スイッチング素子Ｑａがターンオンされる。前の感知段階でタッチが発生してキャパシタＣｓの充電電圧に変化が生じた場合、ターンオンされたスイッチング素子Ｑａを通じて基準電圧ＶｆがキャパシタＣｓに再充電される。この時、感知信号線（ＲＯ１、ＲＯ２、．．．）に電流が発生して感知信号が生成され、感知信号は感知信号処理部５００に入力されて処理されることができる。この段階を出力段階または出力区間という。感知部のリセットと感知信号の出力は、走査信号の印加によって同時に行われるので、リセット段階はすぐ出力段階となることができる。
【００５６】
それでは、図５を参照して、本発明の一実施形態による光センサを含む表示装置について説明する。上述した実施形態と同一の構成要素に対しては同一の図面符号を付け、同一の説明は省略する。
【００５７】
図５は、本発明の一実施形態による光センサを含む表示装置のブロック図である。
【００５８】
図５を参照すれば、本発明の一実施形態による光センサを含む表示装置は、上述した図１乃至図４に示した実施形態と大部分同一であるが、一つの感知部グループＳＵが含む感知部の個数、及びそれによる走査信号線の種類が異なることができる。
【００５９】
さらに具体的に、本実施形態による表示装置の感知領域ＳＡは、独立的に走査信号を伝達できる第１走査信号線グループ（Ｇａ１、Ｇａ２、．．．）及び第２走査信号線グループ（Ｇｂ１、Ｇｂ２、．．．）、そして第１走査信号線グループ（Ｇａ１、Ｇａ２、．．．）に接続された第１感知部ＳＵａと、第２走査信号線グループ（Ｇｂ１、Ｇｂ２、．．．）に接続された第２感知部ＳＵｂを含む。
【００６０】
第１感知部ＳＵａと第２感知部ＳＵｂは、行方向及び列方向に交互に配置することができる。互いに隣接する第１感知部ＳＵａ及び第２感知部ＳＵｂは、上述した一つの感知部グループＳＵを構成することができる。互いに隣接する第１感知部ＳＵａ及び第２感知部ＳＵｂは、図１に示した実施形態のように同一の感知信号線に接続することもでき、互いに異なる感知信号線（図示せず）に接続することも可能である。
【００６１】
この他に、上述した図１乃至図４に示した実施形態の色々な特徴が同一に適用できる。
【００６２】
以下、本発明の一実施形態による光センサを含む表示装置の駆動方法について、図１乃至図５、及び図６を参照して説明するが、説明の便宜のために、図５に示すように二種類の感知部ＳＵａ、ＳＵｂを含む光センサ及び表示装置の構造を基本として説明する。
【００６３】
図６は、本発明の一実施形態による光センサを含む表示装置の駆動方法を示すタイミング図である。
【００６４】
図６を参照すれば、バックライト９００は、１フレーム（ｆｒａｍｅ）を周期で内部光照射区間ＩＬ_ＯＮの間に内部光ＩＬを表示装置に照射する。一つの内部光照射区間ＩＬ_ＯＮの開始点から、次の内部光照射区間ＩＬ_ＯＮの開始前までの時間が、１フレームに対応し、隣接するフレームの内部光照射区間ＩＬ_ＯＮの間の区間は、内部光非照射区間という。図６は、Ｎ番目フレームと、その前後に位置する（Ｎ−１）番目、及び（Ｎ＋１）番目フレームの一部を示す。
【００６５】
まず、第１感知部ＳＵａについて説明すれば、第１感知部ＳＵａのリセット段階及び出力段階は同時に行われることができる。図６において、第１感知部ＳＵａのリセット段階または出力段階に対応する区間は、第１感知部ＳＵａと同一の符号で表わし、リセット区間ＳＵｂまたは出力区間ＳＵｂという。第１感知部ＳＵａの隣接する出力区間ＳＵａの間の区間は、光を感知する段階に対応する区間であって、感知区間ＳＰａという。図６に示した感知区間ＳＰａは、一番最初に走査信号の印加を受ける走査信号線Ｇａ１に接続された第１感知部ＳＵａを基準に表示された。第１感知部ＳＵａの感知区間ＳＰａは、ほぼ１フレーム内に持続できる。
【００６６】
隣接する内部光照射区間ＩＬ_ＯＮの間には第１感知部ＳＵａの一つの出力区間ＳＵａが位置する。つまり、第１感知部ＳＵａに対して１フレームごとに一つの出力区間ＳＵａが位置して感知信号を生成する。第１感知部ＳＵａの出力区間ＳＵａは内部光照射区間ＩＬ_ＯＮと重畳せず、図６に示したように、内部光照射区間ＩＬ_ＯＮが開始する直前に位置することができる。
【００６７】
さらに具体的に、Ｎ番目フレームの内部光照射区間ＩＬ_ＯＮの以前に位置する（Ｎ−１）番目フレームの第１感知部ＳＵａの出力区間ＳＵａで、キャパシタＣｓが基準電圧Ｖｆで再充電されてリセットされた後、第１感知部ＳＵａの感知区間ＳＰａが進行する。感知区間ＳＰａは１フレーム内に持続できる。
【００６８】
第１感知部ＳＵａの感知区間ＳＰａの内には、Ｎ番目フレームに対するバックライト９００の内部光照射区間ＩＬ_ＯＮが位置する。一つの感知区間ＳＰａは、内部光照射区間ＩＬ_ＯＮ及びそれ以後の内部光ＩＬの非照射区間を含む。つまり、内部光照射区間ＩＬ_ＯＮは第１感知部ＳＵａの感知区間ＳＰａの一部区間だけ持続できる。感知区間ＳＰａの内部光ＩＬの非照射区間の間には第２感知部ＳＵｂに外部光ＯＬだけが照射されると見られる。
【００６９】
第１感知部ＳＵａの感知区間ＳＰａは、Ｎ番目フレームの第１感知部ＳＵａの出力区間ＳＵａが開始すると終了する。第１感知部ＳＵａの出力区間ＳＵａではキャパシタＣｓが基準電圧Ｖｆで再充電され、これと同時に、以前の感知区間ＳＰａの間に変化されたキャパシタＣｓの電圧による感知信号が生成できる。この感知信号を利用して、感知区間ＳＰａの間の接触情報を得ることができる。
【００７０】
第１感知部ＳＵａの各出力区間ＳＵａの持続時間Ｔ１は、感知領域ＳＡの全ての走査信号線（Ｇａ１、Ｇｂ１、Ｇａ２、Ｇｂ２、．．．）に走査信号（Ｖｇ_ＳＵａ）を順次に印加するのにかかる時間とほぼ同一でありうるが、これに限定されることではなく、これより長いことも可能である。
【００７１】
一方、第１感知部ＳＵａの感知区間ＳＰａの間には、バックライト９００からの内部光ＩＬ以外に外部光ＯＬによる影響によって感知信号にノイズが生じうる。このようなノイズを除去するために第１感知部ＳＵａと隣接するするかまたは近接する第２感知部ＳＵｂを利用することができる。これについては後述する。
【００７２】
次の第２感知部ＳＵｂについて説明すれば、第２感知部ＳＵｂは１フレーム内にリセット区間ＳＵｂ_ｒ、ＳＵｂ_ｋと出力区間ＳＵｂの少なくとも三つの区間でリセットされて感知信号を生成することができる。つまり、１フレーム内に第２感知部ＳＵｂは、少なくとも三回のリセットが行われて感知信号を生成することができる。しかし、本発明の実施形態においては、第２感知部ＳＵｂから出力された感知信号を処理して接触情報を得る区間を出力区間ＳＵｂと称し、そうでない区間はリセット区間ＳＵｂ_ｒ、ＳＵｂ_ｋ（ｋ＝自然数、以下、同一）と区分して称する。リセット区間ＳＵｂ_ｒ、ＳＵｂ_ｋでは感知信号を生成するが、接触情報を得ることはなく、キャパシタＣｓを基準電圧Ｖｆで充電して第２感知部ＳＵｂをリセットする。なお、ＳＵｂ_ｒは外部光の消去のために必須に存在する区間であり、ＳＵｂ_ｋはＳＵｂ_ｒと同様な動作区間であり第２感知部ＳＵｂが十分にリセットされるようにする区間です。
【００７３】
第２感知部ＳＵｂの出力区間ＳＵｂは、隣接する内部光照射区間ＩＬ_ＯＮの間に位置し、内部光照射区間ＩＬ_ＯＮと重畳しない。つまり、第２感知部ＳＵｂの出力区間ＳＵｂの開始点と内部光照射区間ＩＬ_ＯＮの終点との間の時間間隔Ｔ２は、０以上でありうる。第２感知部ＳＵｂの出力区間ＳＵｂは、第１感知部ＳＵａの出力区間ＳＵａの次に位置することができる。
【００７４】
第２感知部ＳＵｂのリセット区間ＳＵｂ_ｒ、ＳＵｂ_ｋは、当該フレーム内で出力区間ＳＵｂ以前に位置する。
【００７５】
１フレームにおいて、第２感知部ＳＵｂのリセット区間ＳＵｂ_ｒ、ＳＵｂ_ｋは一つの本リセット区間（ｍａｉｎ  ｒｅｓｅｔ  ｐｅｒｉｏｄ）ＳＵｂ_ｒと、少なくとも一つの先行リセット区間（ｐｒｅｃｅｄｉｎｇ  ｒｅｓｅｔ  ｐｅｒｉｏｄ）ＳＵｂ_ｋとを含む。図６は、１フレームに三つの先行リセット区間ＳＵｂ_１、ＳＵｂ_２、ＳＵｂ_３が含まれる実施形態を示す。図６では、先行リセット区間ＳＵｂ３つ設けたが、先行リセット区間ＳＵｂは１つ以上あれば良く３つに限定されない。
【００７６】
本リセット区間ＳＵｂ_ｒは、複数のリセット区間ＳＵｂ_ｒ、ＳＵｂ_ｋの中で最後に位置して、内部光照射区間ＩＬ_ＯＮと重畳しないことができる。本リセット区間ＳＵｂ_ｒは、第１感知部ＳＵａの感知区間ＳＰａ内に位置することができる。
【００７７】
少なくとも一つの先行リセット区間ＳＵｂ_１、ＳＵｂ_２、ＳＵｂ_３は、本リセット区間ＳＵｂ_ｒに先行して、順次に位置することができる。図６に示した実施形態において、先行リセット区間ＳＵｂ_１、ＳＵｂ_２、ＳＵｂ_３の一部は、内部光照射区間ＩＬ_ＯＮと重畳することができる。
【００７８】
さらに具体的に、第２感知部ＳＵｂは、本リセット区間ＳＵｂ_ｒの終了後に進行する感知区間ＳＰｂに進入する前に、少なくとも一つの先行リセット区間ＳＵｂ_１、ＳＵｂ_２、ＳＵｂ_３と一つの本リセット区間ＳＵｂ_ｒを経て、複数回のリセットが行われることができる。したがって、第２感知部ＳＵｂは感知区間ＳＰｂの前に十分にリセットされるので、キャパシタＣｓが基準電圧Ｖｆで十分に充電されることができ、感知素子Ｑｓに残留しうる電荷を十分に除去することができる。
【００７９】
第２感知部ＳＵｂは、本リセット区間ＳＵｂ_ｒの終了後に開始する感知区間ＳＰｂの間に外部光ＯＬを感知することができる。外部光が存在する場合、第２感知部ＳＵｂの感知素子Ｑｓは光電流を流し、第２感知部ＳＵｂのキャパシタＣｓも放電することができる。図６に表示された感知区間ＳＰｂは、一番最初に走査信号の印加を受ける走査信号線Ｇｂ１に接続された第２感知部ＳＵｂを基準として表示された。第２感知部ＳＵｂの感知区間ＳＰｂは１フレームより短い。第２感知部ＳＵｂの感知区間ＳＰｂは第２感知部ＳＵｂの次の出力区間ＳＵｂが開始すると終了する。
【００８０】
第２感知部ＳＵｂの出力区間ＳＵｂにおいては、第２感知部ＳＵｂのキャパシタＣｓが基準電圧Ｖｆで再充電されながら、感知区間ＳＰｂにおける放電程度による感知信号が生成される。出力区間ＳＵｂから出力される第２感知部ＳＵｂの感知信号は、感知区間ＳＰｂにおける外部光ＯＬの存在の有無、またはその強度によることができる。
【００８１】
本実施形態において、外部光ＯＬによる第２感知部ＳＵｂの感知信号の差が、外部光ＯＬの照射時間と概して無関係であると仮定する時に、第１感知部ＳＵａの出力区間ＳＵａの感知信号から、第２感知部ＳＵｂの出力区間ＳＵｂの感知信号を引けば、ほぼ第１感知部ＳＵａの感知信号から外部光ＯＬによる効果が削除されることと見られる。したがって、外部光ＯＬによる影響がない感知信号を得ることができ、これを処理して接触情報を得れば、より正確な接触情報または正確な物体のイメージを得ることができる。
【００８２】
第２感知部ＳＵｂの各リセット区間ＳＵｂ_ｒ、ＳＵｂ_ｋ及び出力区間ＳＵｂの持続時間Ｔ１は、感知領域ＳＡの全ての走査信号線（Ｇａ１、Ｇｂ１、Ｇａ２、Ｇｂ２、．．．）に走査信号Ｖｇ_ＳＵｂを順次に印加するのにかかる時間とほぼ同一でありうるが、これに限定されることではなく、これより長いこともある。
【００８３】
一方、バックライト９００が内部光ＩＬと共に可視光線を表示装置の表示板に供給する場合、図６に示された１フレームは映像表示周期にもなることができる。この時、内部光照射区間ＩＬ_ＯＮの開始点から第１感知部ＳＵａのリセットまたは出力区間ＳＵａの開始点の間の区間は表示区間（ｄｉｓｐｌａｙ  ｐｅｒｉｏｄ）であって、全ての映像走査信号線（図示せず）にゲートオン電圧を順次に印加して、一画面の映像情報に対応する映像データ電圧を画素（図示せず）に印加することができる。
【００８４】
本発明の一実施形態において、第２感知部ＳＵｂのリセット区間ＳＵｂ_ｒ、ＳＵｂ_ｋは表示区間内に位置しているので、生成された感知信号は表示のための種々の駆動信号によってノイズを含むみ得る。しかし、リセット区間ＳＵｂ_ｒ、ＳＵｂ_ｋでは第２感知部ＳＵｂのリセットだけを行い、感知信号を利用して接触情報を得ることはないので、接触情報にノイズが生じない。むしろ、上述した通りに、外部光ＯＬを感知するための第２感知部ＳＵｂが複数回のリセット段階を経るので、内部光ＩＬまたは外部光ＯＬなどによって活性化した感知素子Ｑｓの残余電荷を除去し、キャパシタＣｓを基準電圧Ｖｆで十分に再充電して正確な接触情報を得ることができる。
【００８５】
隣接するフレームの表示区間の間にはブランク区間（ｂｌａｎｋ  ｐｅｒｉｏｄ）が位置することができる。ブランク区間では以前に位置する表示区間で入力された映像が維持できる。本発明の一実施形態において、第１感知部ＳＵａの出力区間ＳＵａと第２感知部ＳＵｂの出力区間ＳＵｂとは互いに隣接し、ブランク区間内に位置することができる。
【００８６】
このような表示装置の映像表示動作は、この分野の種々の従来技術に従うことができ、通常の知識を有する者が容易に理解できるので、それ以上の詳細な説明は省略する。
【００８７】
図６に示した駆動方法は、上述した通りに、三種類以上の感知部を含む光センサ及び表示装置にも適用される。例えば、本発明の一実施形態による光センサを含む表示装置が四種類の感知部ＳＵａ、ＳＵｂ、ＳＵｃ、ＳＵｄを含む場合、二つの感知部ＳＵａ、ＳＵｂは、図６に示した実施形態における第１感知部ＳＵａのように、１フレーム内に一回のリセットまたは出力区間を有し、二つの感知部ＳＵｃ、ＳＵｄは、図６に示した実施形態における第２感知部ＳＵｂのように、１フレーム内に複数回のリセット段階を経て、一回の出力段階を経ることができる。
【００８８】
これと異なって、隣接する四つの感知部ＳＵａ、ＳＵｂ、ＳＵｃ、ＳＵｄが順次に２つずつ対をなして、図６に示した第１感知部ＳＵａ及び第２感知部ＳＵｂのように駆動されることも可能である。
【００８９】
例えば、一つの第１フレームに対して第１感知部ＳＵａが一回のリセットまたは出力区間を通して内部光ＩＬ及び外部光ＯＬの影響を受けた感知信号を生成し、第２感知部ＳＵｂは、第１フレームに対して複数回のリセット区間を経て、一回の出力区間を通して、外部光ＯＬによる感知信号を生成し、第１フレームに対する接触情報を得ることができる。
【００９０】
第１フレームの次の第２フレームでは、第２感知部ＳＵｂが一回のリセットまたは出力区間を通して、内部光ＩＬ及び外部光ＯＬの影響を受けた感知信号を生成し、第３感知部ＳＵｃは、第２フレームに対して複数回のリセット区間を経て、一回の出力区間を通して、外部光ＯＬによる感知信号を生成し、第２フレームに対する接触情報を得ることができる。
【００９１】
同様に、第２フレームの次の第３フレームにおいては、第３感知部ＳＵｃが一回のリセットまたは出力区間を通して、内部光ＩＬ及び外部光ＯＬの影響を受けた感知信号を生成し、第４感知部ＳＵｄは、第３フレームに対して複数回のリセット区間を経て、一回の出力区間を通して、外部光ＯＬによる感知信号を生成し、第３フレームに対する接触情報を得ることができる。
【００９２】
以下、図７及び図８をそれぞれ参照して、本発明の一実施形態による光センサを含む表示装置の駆動方法について説明する。上述した実施形態と同一の構成要素に対しては同一の図面符号を付け、同一の説明は省略する。
【００９３】
図７は、本発明の一実施形態による光センサを含む表示装置の駆動方法を示すタイミング図の他の例であり、図８は、本発明の一実施形態による光センサを含む表示装置の駆動方法を示すタイミング図の他の例である。
【００９４】
図７及び図８に示した実施形態による駆動方法は、上述した図６に示した実施形態と大部分同一であるが、第２感知部ＳＵｂの先行リセット区間ＳＵｂ_ｋの個数及び位置が異なってもよい。
【００９５】
具体的に、図７及び図８に示した実施形態のように、第２感知部ＳＵｂの先行リセット区間ＳＵｂ_ｋは一つの先行リセット区間ＳＵｂ_１を含むことができる。図７に示した実施形態によれば、先行リセット区間ＳＵｂ_１は内部光照射区間ＩＬ_ＯＮと重畳することができる。反面、図８に示した実施形態によれば、先行リセット区間ＳＵｂ_１は内部光照射区間ＩＬ_ＯＮと重畳しないことができる。また、先行リセット区間ＳＵｂ_１と本リセット区間ＳＵｂ_ｒは、図７に示すように時間的に離隔していてもよく、図８に示すように時間的に連続してもよい。
【００９６】
次に、図９及び図１０を参照して、本発明の一実施形態による光センサを含む表示装置、及びその駆動方法について説明する。上述した実施形態と同一の構成要素に対しては同一の図面符号を付け、同一の説明は省略する。
【００９７】
図９は、本発明の一実施形態による光センサの配置図であり、図１０は、本発明の一実施形態による光センサを含む表示装置の駆動方法を示すタイミング図の他の例である。
【００９８】
図９を参照すれば、本実施形態による光センサを含む表示装置は、上述した図５に示した実施形態と類似する構造を有する。具体的に、本実施形態による表示装置は、第１走査信号線グループ（Ｇａ１、Ｇａ２、．．．）及び第２走査信号線グループ（Ｇｂ１、Ｇｂ２、．．．）そして第１走査信号線グループ（Ｇａ１、Ｇａ２、．．．）に接続された第１感知部ＳＵａと第２走査信号線グループ（Ｇｂ１、Ｇｂ２、．．．）に接続された第２感知部ＳＵｂを含む。第１感知部ＳＵａ及び第２感知部ＳＵｂは行列状に配列されており、行方向または列方向に交互に配列することができる。
【００９９】
第１感知部ＳＵａ及び第２感知部ＳＵｂの内部回路は、上述した図２に示した回路と大部分同一であるが、第１感知部ＳＵａの感知素子Ｑｓの入力端子が接続されたソース電圧が異なることができる。
【０１００】
具体的に、本発明の一実施形態による表示装置は、第１ソース電圧線Ｖｓ_ａ及び第２ソース電圧線Ｖｓ_ｂを含むことができる。第１電圧線Ｖｓ_ａ及び第２ソース電圧線Ｖｓ_ｂは感知信号線（ＲＯ１、ＲＯ２、．．．、ＲＯ（ｍ−１）、ＲＯｍ）にほぼ平行に延びて、走査信号線（Ｇａ１、Ｇｂ１、Ｇａ２、Ｇｂ２、．．．）と交差することができる。第１感知部ＳＵａの感知素子Ｑｓの入力端子は、第１ソース電圧線Ｖｓ_ａと接続し、接触情報から外部光ＯＬのノイズを除去するための第２感知部ＳＵｂの感知素子Ｑｓの入力端子は、第２ソース電圧線Ｖｓ_ｂと接続する。
【０１０１】
図１０を参照すれば、本実施形態による光センサを含む表示装置の駆動方法は、上述した図６に示した実施形態と大部分同一である。
【０１０２】
第１ソース電圧線Ｖｓ_ａは、１フレーム内に一定の第１電圧レベルＶ１のソース電圧を伝達する。第１電圧レベルＶ１は、感知信号線（ＲＯ１、ＲＯ２、．．．）を通じて伝達される基準電圧Ｖｆより小さいこともある。しかし、第２ソース電圧線Ｖｓ_ｂの電圧レベルは、互いに異なる第１電圧レベルＶ１及び第２電圧レベルＶ２を含む。第２電圧レベルＶ２は第１電圧レベルＶ１より大きい値を有し、基準電圧Ｖｆと同一でありうる。もし、第２感知部ＳＵｂの感知素子Ｑｓの入力端子に基準電圧Ｖｆが印加されると、感知素子Ｑｓの入力−出力端子間の電圧差が０Ｖであるので、光が照射された時に、光電流を最小化することができる。第１電圧レベルＶ１は、感知素子Ｑｓの制御端子に印加されるバイアス電圧Ｖｂの電圧レベルと同一でありうる。
【０１０３】
第２ソース電圧線Ｖｓ_ｂの電圧が第２電圧レベルＶ２である第１区間は、バックライト９００の内部光照射区間ＩＬ_ＯＮと重畳することができる。さらに具体的に、第２ソース電圧線Ｖｓ_ｂの電圧が第２電圧レベルＶ２である第１区間の幅は、内部光照射区間ＩＬ_ＯＮの幅の約７５％以上約１２５％以下でありうる。また、第１区間の中心軸と内部光照射区間ＩＬ_ＯＮの中心軸とは一致してもよく、一致しなくてもよいが、互いに近接するようにして第１区間と内部光照射区間ＩＬ_ＯＮとが大部分重畳することが好ましい。
【０１０４】
本実施形態のように、内部光照射区間ＩＬ_ＯＮの間に第２感知部ＳＵｂの感知素子Ｑｓの入力−出力端子間の電圧差を他の区間でよりも小さくすれば、内部光ＩＬが照射される間に第２感知部ＳＵｂに生じる光漏洩電流を最小化することができる。このことにより、内部光照射区間ＩＬ_ＯＮの間に第２感知部ＳＵｂの感知素子Ｑｓに残留しうる電荷量を最初から小さくすることができる。したがって、第２感知部ＳＵｂの感知区間ＳＰｂで残余電荷量による影響を最小化することができ、より正確な外部光ＯＬによる感知信号を得ることができるので、正確な接触情報を得ることができる。
【０１０５】
以上、本発明の好ましい実施形態について詳細に説明したが、本発明の権利範囲はこれに限定されず、次の請求範囲で定義している本発明の基本概念を利用した当業者の種々の変形及び改良形態も本発明の権利範囲に属するものである。
【符号の説明】
【０１０６】
３  中間層
１００、２００、３００  表示板
２６０  遮光部材
４００  走査駆動部
５００  感知信号処理部
９００  バックライト
ＩＬ_ＯＮ  内部光照射区間
ＳＡ  感知領域
ＳＰａ、ＳＰｂ  感知区間
ＳＵ  感知部グループ
【図１】
0006002531.tif 000002
【図２】
0006002531.tif 000003
【図３】
0006002531.tif 000004
【図４】
0006002531.tif 000005
【図５】
0006002531.tif 000006
【図６】
0006002531.tif 000007
【図７】
0006002531.tif 000008
【図８】
0006002531.tif 000009
【図９】
0006002531.tif 000010
【図１０】
0006002531.tif 000011